(57)【要約】【課題】不正防止効果が高く遠隔通信設備の不要な遊技媒体計数処理システムの提供。【解決手段】景品管理機において、営業開始前に、当日分の暗号キーおよび復号キーが係員別に決定され、景品管理機のテーブルＴ１に記録される。この景品管理機によって、各係員のＩＣタグ５に係員コードに対応する暗号キーが書き込まれる。営業中は、係員のＩＣタグ５をレシート発行機に近づけると、ＩＣタグ５から係員コードおよび暗号キーが読み取られ、計数機のシャッタが開く。計数終了後、レシート発行機は、計数値を暗号キーに基づいて暗号化し、これを係員コード等と共に記録したレシート６を発行する。持ち込まれたレシート６のデータは、景品管理機で読み取られる。景品管理機は、テーブルＴ１で係員コードに対応する復号キーを参照し、その復号キーに基づいて、暗号化された計数値を復号化する。【選択図】　図３
2004073443.tif 000002
【特許請求の範囲】
【請求項１】
遊技媒体の個数を計数する遊技媒体計数装置と、
係員用記録媒体に記録された暗号キーを読み取ると共に、前記計数装置による遊技媒体の計数値を前記暗号キーに基づいて暗号化し、この暗号化された計数値を含むデータを遊技客用記録媒体に記録する計数値記録装置と、
予め前記係員用記録媒体へ前記暗号キーを含むデータを書き込むと共に、前記遊技客用記録媒体に記録されたデータを読み取り、前記暗号キーに対応した復号キーに基づいて前記暗号化された計数値を復号化するデータ処理装置と
を備えたことを特徴とする遊技媒体計数処理システム。
【請求項２】
遊技媒体の個数を計数する遊技媒体計数装置と、
係員用記録媒体に記録された係員コードおよび暗号キーを読み取ると共に、前記計数装置による遊技媒体の計数値を前記暗号キーに基づいて暗号化し、この暗号化された計数値と前記係員コードを含むデータを遊技客用記録媒体に記録する計数値記録装置と、
複数の係員にそれぞれ対応する前記係員コード、前記暗号キーおよび復号キーの対応テーブルを有し、予め前記係員用記録媒体へ前記係員コードに対応した前記暗号キーを含むデータを書き込むと共に、前記遊技客用記録媒体に記録されたデータを読み取り、前記係員コードに対応した前記復号キーに基づいて前記暗号化された計数値を復号化するデータ処理装置と
を備えたことを特徴とする遊技媒体計数処理システム。
【請求項３】
前記計数装置は、遊技媒体を受け入れる投入口と、前記計数値記録装置からの指令に基づいて前記投入口を開閉可能な閉鎖部材とを有し、
前記計数値記録装置は、前記係員用記録媒体の読み取りに応じて、前記計数装置に対して前記投入口の開放を指令するように構成されている、ことを特徴とする請求項１又は２記載の計数処理システム。
【請求項４】
前記計数値記録装置は、前記係員用記録媒体に前記計数値を含む計数操作データを書き込むように構成され、
前記係員用記録媒体から前記係員コードおよび前記計数操作データを読み取って係員操作履歴データとして蓄積するデータ管理装置を更に備えたことを特徴とする請求項２記載の計数処理システム。
【請求項５】
前記データ処理装置は、前記遊技客用記録媒体から読み取った前記係員コードと前記復号化された計数値とを処理履歴データとして蓄積し、
前記データ管理装置は、前記係員操作履歴データと、前記データ処理装置に蓄積された処理履歴データとの照合を行うように構成されている、ことを特徴とする請求項４記載の計数処理システム。
【発明の詳細な説明】
【０００１】
【発明の属する技術分野】
本発明は、パチンコ玉等の遊技媒体を計数し、その計数値を含むデータをレシート等の遊技客用記録媒体に記録すると共に、その記録媒体からデータを読み取って景品交換等に利用するための遊技媒体計数処理システムに関する。
【０００２】
【従来の技術】
従来、上記のような遊技媒体計数処理システムにおいては、不正防止の観点から計数値のデータ・スクランブルを行うシステムが知られている（特開平７−３１３７１８等）。そのデータ・スクランブルは、例えば一定の計算方法による換算とダミー数値の混合と桁の並び替えとの組合せによって行われている。また、レシート発行機と、レシートからデータを読み取る景品交換管理機との間で遠隔通信を行うことで、レシートの発行連番および計数値の照合を行うような、リアルタイム通信チェック方式のシステムも提案されている。
【０００３】
【発明が解決しようとする課題】
上述したような従来の遊技媒体計数処理システムには、次のような問題点がある。すなわち、データ・スクランブルによるものは、スクランブル方式に一定のパターンがあるため、それを解読される可能性があり、不正防止効果が十分ではない。一方、リアルタイム通信チェック方式のものは、遠隔通信設備にコストがかかり、また通信不良によるチェックの不備が発生する可能性もある。
【０００４】
本発明は、このような点を考慮してなされたものであり、不正防止効果が高く遠隔通信設備の不要な遊技媒体計数処理システムを提供することを目的とする。
【０００５】
【課題を解決するための手段】
第１の発明は、遊技媒体の個数を計数する遊技媒体計数装置と、係員用記録媒体に記録された暗号キーを読み取ると共に、前記計数装置による遊技媒体の計数値を前記暗号キーに基づいて暗号化し、この暗号化された計数値を含むデータを遊技客用記録媒体に記録する計数値記録装置と、予め前記係員用記録媒体へ前記暗号キーを含むデータを書き込むと共に、前記遊技客用記録媒体に記録されたデータを読み取り、前記暗号キーに対応した復号キーに基づいて前記暗号化された計数値を復号化するデータ処理装置とを備えたことを特徴とする遊技媒体計数処理システムである。
【０００６】
この第１の発明によれば、係員用記録媒体で読み書きされる暗号キーと、データ処理装置の復号キーとの組合せにより、客用記録媒体に記録される計数値等の暗号化と復号化を行うことで、従来のデータ・スクランブルによるものよりも暗号化のパターンを複雑化することが可能となる。また、係員用記録媒体を介して必要なデータのやりとりを行うことで、計数値記録装置とデータ処理装置との間で遠隔通信を行う必要もなくなる。
【０００７】
第２の発明は、遊技媒体の個数を計数する遊技媒体計数装置と、係員用記録媒体に記録された係員コードおよび暗号キーを読み取ると共に、前記計数装置による遊技媒体の計数値を前記暗号キーに基づいて暗号化し、この暗号化された計数値と前記係員コードを含むデータを遊技客用記録媒体に記録する計数値記録装置と、複数の係員にそれぞれ対応する前記係員コード、前記暗号キーおよび復号キーの対応テーブルを有し、予め前記係員用記録媒体へ前記係員コードに対応した前記暗号キーを含むデータを書き込むと共に、前記遊技客用記録媒体に記録されたデータを読み取り、前記係員コードに対応した前記復号キーに基づいて前記暗号化された計数値を復号化するデータ処理装置とを備えたことを特徴とする遊技媒体計数処理システムである。
【０００８】
この第２の発明によれば、複数の係員ごとに係員用記録媒体で読み書きされる暗号キーと、データ処理装置の復号キーとの組合せにより、客用記録媒体に記録される計数値等の暗号化と復号化を行うことで、従来のデータ・スクランブルによるものよりも暗号化のパターンを複雑化することが可能となる。また、係員用記録媒体を介して必要なデータのやりとりを行うことで、計数値記録装置とデータ処理装置との間で遠隔通信を行う必要もなくなる。さらに、暗号キーおよび復号キーと係員コードとを関連づけることで、係員ごとのデータ管理等を行うことも可能となる。
【０００９】
第３の発明は、第１又は第２の発明において、前記計数装置は、遊技媒体を受け入れる投入口と、前記計数値記録装置からの指令に基づいて前記投入口を開閉可能な閉鎖部材とを有し、前記計数値記録装置は、前記係員用記録媒体の読み取りに応じて、前記計数装置に対して前記投入口の開放を指令するように構成されているものである。
【００１０】
この第３の発明によれば、係員用記録媒体によって計数装置における投入口の開閉を管理することで、遊技客による計数装置の不正使用を防止することができる。また、係員用記録媒体の読み取りに応じて投入口を開放することで、投入口開放のための特別な操作も不要となる。
【００１１】
第４の発明は、第２の発明において、前記計数値記録装置は、前記係員用記録媒体に前記計数値を含む計数操作データを書き込むように構成され、前記係員用記録媒体から前記係員コードおよび前記計数操作データを読み取って係員操作履歴データとして蓄積するデータ管理装置を更に備えたものである。
【００１２】
この第４の発明によれば、係員ごとの係員操作履歴データをデータ管理装置に蓄積しておくことで、不正行為が発覚した場合の調査・確認等に利用することができる。
【００１３】
第５の発明は、第４の発明において、前記データ処理装置は、前記遊技客用記録媒体から読み取った前記係員コードと前記復号化された計数値とを処理履歴データとして蓄積し、前記データ管理装置は、前記係員操作履歴データと、前記データ処理装置に蓄積された処理履歴データとの照合を行うように構成されているものである。
【００１４】
この第５の発明によれば、蓄積された係員操作履歴データと処理履歴データとの照合を行うことで、例えば（遊技客の持ち帰り等による）未処理の遊技客用記録媒体のデータを抽出する等のデータ管理を行うことが可能となる。
【００１５】
【発明の実施の形態】
次に、図面を参照して本発明の実施の形態について説明する。図１乃至図４は本発明による遊技媒体計数処理システムの実施の形態を示す図である。以下、本実施形態の遊技媒体計数処理システムにおける全体構成、各部の構成、運用手順、作用効果および変形例について順次説明する。
【００１６】
《全体構成》
実施形態の遊技媒体計数処理システムは、図１に示す景品管理機（データ処理装置）１およびデータ管理装置４と、図２に示すレシート発行機（計数値記録装置）２および計数機（技媒体計数装置）３とを備えている。
【００１７】
図１に示す景品管理機１は、例えばパチンコ店等の遊技店における景品交換コーナーに設置され、景品交換処理等に利用されるものである。また、データ管理装置４は、景品管理機１の近くに設置されるか、或いは景品交換コーナーに近い管理室等に設置されるものである。
【００１８】
図２に示す計数機３は、遊技店において複数の遊技台（パチンコ台等）で構成される遊技島の島端等に設置され、遊技客の獲得した遊技媒体（パチンコ玉等）の個数を計数するためのものである。また、レシート発行機２は、一般に計数機３に隣接して配置され、所定のデータを記録したレシート（遊技客用記録媒体）６（図３）を発行するためのものである。
【００１９】
なお、後に詳述するように、レシート発行機２によって発行されるレシート６には、計数機３による遊技媒体の計数値に対応したデータがバーコードで記録される。そして、景品管理機１で読み取られたレシート６のデータに基づいて景品交換が行われることになる。
【００２０】
《各部の構成》
次に、上記の（１）景品管理機１、（２）レシート発行機２、（３）計数機３および（４）データ管理装置４の具体的構成について順次説明する。
【００２１】
（１）景品管理機（データ処理装置）
図１に示す景品管理機１は、制御部１０と、この制御部１０に接続されたＩＣタグ用リーダ／ライタ１２、バーコードリーダ１３、通信部１４および内部記憶部１６を有している。ＩＣタグ用リーダ／ライタ１２は、非接触型式の近接型ＩＣタグ（係員用記録媒体）５（図３）との間でデータの読み取りおよび書き込みを行うためのものである。これらの近接型ＩＣタグ５およびＩＣタグ用リーダ／ライタ１２としては、公知の電磁誘導式のものを用いることができる。また、内部記憶部１６には、暗号キー／復号キー・テーブルＴ１と処理履歴テーブルＴ２とが格納される。
【００２２】
暗号キー／復号キー・テーブルＴ１は、複数の係員（店員）にそれぞれ対応する係員コード、暗号キーおよび復号キーの対応テーブルである。この暗号キー／復号キー・テーブルＴ１は、任意に内容を更新できるようになっているが、不正防止の観点からは、暗号キーおよび復号キーを毎日更新することが好ましい。また、ＩＣタグ５は、複数の係員ごとに、それぞれ対応する係員コードが予め記録された専用のものが用意されている。
【００２３】
そして、この景品管理機１は、リーダ／ライタ１２によって各ＩＣタグ５の係員コードを読み取ると共に、暗号キー／復号キー・テーブルＴ１を参照して、その係員コード（例えば「０００１」）に対応した暗号キー（例えば「ＡＫ６７ＨＨ」）を当該ＩＣタグ５へ書き込むように構成されている。
【００２４】
また、この景品管理機１は、レシート６に記録されたバーコードのデータをバーコードリーダ１３で読み取るように構成されている。後述するように、そのデータには、係員コードと、レシート発行時刻と、上記暗号キーに基づいて暗号化された計数値とが含まれている。そして、景品管理機１は、暗号キー／復号キー・テーブルＴ１を参照して、その係員コード（例えば「０００１」）に対応した復号キー（例えば「ＱＯＳＹ７４」）に基づいて、暗号化された計数値を復号化するように構成されている。また、レシート６から読み取られた係員コードおよび発行時刻と復号化された計数値とが、処理履歴データとして処理履歴テーブルＴ２に蓄積されるようになっている。
【００２５】
（２）レシート発行機（計数値記録装置）
図２に示すレシート発行機２は、制御部２０と、この制御部２０に接続されたＩＣタグ用リーダ／ライタ２２、プリンタ２３、通信部２４および発行ボタン２６を有している。ＩＣタグ用リーダ／ライタ２２は、景品管理機１のリーダ／ライタ１２と同様のものである。
【００２６】
このレシート発行機２は、リーダ／ライタ２２によってＩＣタグ５に記録された係員コードおよび暗号キーを読み取ると共に、その読み取りに応じて、計数機３に対して下記投入口の開放を指令するように構成されている。
【００２７】
また、レシート発行機２は、計数機３による遊技媒体の計数終了後において、ＩＣタグ５からの係員コードの読み取り、および／または発行ボタン２６の押下に応じて、プリンタ２３によるレシート６の発行（印字出力）を行うように構成されている。その際、レシート発行機２は、遊技媒体の計数値を暗号キーに基づいて暗号化し、この暗号化された計数値、係員コードおよびレシート発行時刻をバーコード化してレシート６に記録する。ＩＣタグ５からの係員コードの読み取りに応じてレシート６を発行する場合は、その際に、レシート発行時刻および計数値を含む計数操作データがＩＣタグ５に書き込まれるようになっている。
【００２８】
（３）計数機（遊技媒体計数装置）
図２に示す計数機３は、制御部３０と、この制御部３０に接続された計数センサ３２、通信部３４およびシャッタ駆動部３６を有している。その通信部３４は、レシート発行機２の通信部２４と接続され、レシート発行機２との間で指令やデータ等の通信を行えるようになっている。
【００２９】
この計数機３はまた、遊技媒体を受け入れる投入口３ａと、この投入口３ａを開閉可能なシャッタ（閉鎖部材）３ｂとを有している。シャッタ３ｂは、レシート発行機２（制御部２０）の指令に基づいて制御部３０がシャッタ駆動部３６を制御することで開閉されるようになっている。また、計数センサ３２は、投入口３ａから受け入れた遊技媒体の個数を（遮光検知等により）計数する。その計数値は、制御部３０からレシート発行機２（制御部２０）へ送信されるようになっている。
【００３０】
（４）データ管理装置
図１に示すデータ管理装置４は、制御部４０と、この制御部４０に接続されたＩＣタグ用リーダ４２、プリンタ４３、通信部４４および内部記憶部４６を有している。その通信部４４は、景品管理機１の通信部１４と接続され、景品管理機１との間で指令やデータ等の通信を行えるようになっている。また、ＩＣタグ用リーダ４２は、少なくともＩＣタグ５からのデータの読み取り機能を有していればよいが、景品管理機１のリーダ／ライタ１２と同様のものであってもよい。また、内部記憶部４６には係員操作履歴テーブルＴ３が格納される。
【００３１】
このデータ管理装置４は、ＩＣタグ用リーダ４２によって、ＩＣタグ５から係員コードおよび計数操作データ（レシート発行機２で書き込まれたレシート発行時刻および計数値のデータ）を読み取って、係員操作履歴データとして係員操作履歴テーブルＴ３に蓄積するように構成されている。
【００３２】
また、データ管理装置４は、係員操作履歴テーブルＴ３に蓄積された係員操作履歴データと、景品管理機１に蓄積された処理履歴データとの照合を行うように構成されている。また、この照合処理の後、後述するような「未処理レシート情報」および「係員別操作集計表」がプリンタ４３で印字出力されるようになっている。
【００３３】
《運用手順》
次に、本実施形態の遊技媒体計数処理システムの運用手順について、図３および図４のフローチャートに沿って説明する。
【００３４】
まず、図３において、遊技店の営業開始前に、景品管理機１で当日分の暗号キーおよび復号キーが（乱数等に基づいて）係員別に決定され、暗号キー／復号キー・テーブルＴ１に記録される（ステップＳ１）。その後、各係員のＩＣタグ５を景品管理機１のリーダ／ライタ１２に近づけることで（ステップＳ２）、ＩＣタグ５から係員コードが読み取られる（ステップＳ３）。そして、暗号キー／復号キー・テーブルＴ１を参照して、読み取られた係員コードに対応する暗号キーがＩＣタグ５に書き込まれる（ステップＳ４）。
【００３５】
その後、遊技店の営業中において、遊技媒体の計数を希望する遊技客によって呼ばれた係員は、レシート発行機２および計数機３のところに駆け付ける。そして、係員が自分のＩＣタグ５をレシート発行機２のリーダ／ライタ２２に近づけると（ステップＳ５）、ＩＣタグ５から係員コードおよび暗号キーが読み取られ（ステップＳ６）、これに応じて計数機３のシャッタ３ｂが開く（ステップＳ７）。そして、開放された計数機３の投入口３ａに（通常は遊技客自身が）遊技媒体を投入することで、遊技媒体の計数が行われる（ステップＳ８）。
【００３６】
計数終了後、再び係員が自分のＩＣタグ５をレシート発行機２のリーダ／ライタ２２に近づけると（ステップＳ９）、ＩＣタグ５から係員コードおよび暗号キーが読み取られ（ステップＳ１０）、ＩＣタグ５にレシート発行時刻および計数値を含む計数操作データが書き込まれる（ステップＳ１１）。一方、レシート発行機２は、遊技媒体の計数値を暗号キーに基づいて暗号化し（ステップＳ１２）、この暗号化された計数値、係員コードおよびレシート発行時刻をバーコード化して記録したレシート６を発行（印字出力）する（ステップＳ１３）。
【００３７】
景品交換を希望する遊技客によって持ち込まれたレシート６は、景品管理機１のバーコードリーダ１３によって記録されたデータを読み取られる（ステップＳ１４）。データを読み取った景品管理機１は、暗号キー／復号キー・テーブルＴ１で係員コードに対応する復号キーを参照し（ステップＳ１５）、その復号キーに基づいて、暗号化された計数値を復号化する（ステップＳ１６）。これにより決定された計数値が景品交換処理に供されることになる（ステップＳ１７）。なお、レシート６から読み取られた係員コードおよび発行時刻と、復号化された計数値とが、処理履歴データとして景品管理機１の処理履歴テーブルＴ２に蓄積されることになる。
【００３８】
次に、図４には、遊技店の営業終了後における、データ管理装置４による履歴管理処理の手順が示されている。まず、各係員のＩＣタグ５をデータ管理装置４のＩＣタグ用リーダ４２に近づけることで（ステップＳ２０）、ＩＣタグ５から当日分の係員操作履歴データ（係員コード、レシート発行時刻および計数値）が読み取られる（ステップＳ２１）。読み取られた係員操作履歴データは、データ管理装置４の係員操作履歴テーブルＴ３に蓄積される。
【００３９】
そして、データ管理装置４は、景品管理機１より処理履歴テーブルＴ２に蓄積された当日分の処理履歴データを受信し（ステップＳ２２）、これを係員操作履歴テーブルＴ３の係員操作履歴データと照合する（ステップＳ２３）。この照合処理の結果、対応する処理履歴データのない係員操作履歴データがあった場合、その係員操作履歴データは（遊技客の持ち帰り等による）未処理のレシート６に対応するものであると判断され、「未処理レシート情報」という形でプリンタ４３により印字出力される（ステップＳ２４）。また、当日分の係員操作履歴データを係員別に集計したデータが「係員別操作集計表」という形でプリンタ４３により印字出力される（ステップＳ２５）。
【００４０】
なお、遊技媒体の計数に関する不正行為が発覚した場合、不正行為の対象となったレシート６の処理履歴データと係員操作履歴データとを照合することにより、どの係員がいつ立ち会った際の計数に関わるものであるかという調査・確認を行うことができる。
【００４１】
《作用効果》
次に、以上のような構成よりなる本実施形態の作用効果について説明する。
【００４２】
本実施形態によれば、複数の係員ごとにＩＣタグ５で読み書きされる暗号キーと、景品管理機１の復号キーとの組合せにより、レシート６に記録される計数値の暗号化と復号化を行うことで、従来のデータ・スクランブルによるものよりも暗号化のパターンを複雑化することが可能となる。また、ＩＣタグ５を介して必要なデータのやりとりを行うことで、レシート発行機２と景品管理機１との間で遠隔通信を行う必要もなくなる。従って、不正防止効果が高く遠隔通信設備の不要な遊技媒体計数処理システムを提供することができる。
【００４３】
また、暗号キーおよび復号キーと係員コードとを関連づけることで、係員ごとのデータ管理等を行うことも可能となる。具体的には、上述したように、係員ごとの係員操作履歴データをデータ管理装置４の処理履歴テーブルＴ２に蓄積しておくことで、不正行為が発覚した場合の調査・確認等に利用することができる。また、データ管理装置４が、その係員操作履歴テーブルＴ３に蓄積された係員操作履歴データと、景品管理機１の処理履歴データとの照合を行うことで、上述したように未処理のレシート６のデータを「未処理レシート情報」として印字出力する等のデータ管理を行うことが可能となる。
【００４４】
さらに、ＩＣタグ５によって計数機３における投入口３ａの開閉を管理することで、遊技客による計数機３の不正使用を防止することができる。また、ＩＣタグ５の読み取りに応じて投入口３ａを開放することで、投入口３ａ開放のための特別な操作も不要となる。
【００４５】
《変形例》
（１）図１に示す景品管理機１とデータ管理装置４、および図２に示すレシート発行機２と計数機３は、それぞれ一体化することもできる。その場合は、それぞれの通信部１４，４４および２４，３４を省略したり、制御部１０，４０および２０，３０を統合したりすることが可能となる。
【００４６】
（２）上述した運用手順による場合、レシート発行機２は、発行ボタン２６を省略してＩＣタグ５による操作専用として構成してもよい。
【００４７】
（３）遊技客用記録媒体としては、上記レシート６に代えて、磁気カードやＩＣカード等の他の記録媒体を用いることもできる。その場合、レシート発行機２に代えて、記録媒体の種類に応じた計数値記録装置を用いる必要がある。また、景品管理機１のバーコードリーダ１３も、記録媒体の種類に応じた読み取り手段に変更する必要がある。
【００４８】
（４）上記ＩＣタグ５にタイムカード機能を持たせて、景品管理機１等で係員の勤怠管理を行うようにすることも可能である。その場合、例えば係員の出社時刻を記録すると同時に当日分の暗号キーの付与を行うような処理も可能である。
【００４９】
（５）係員用記録媒体としては、上記ＩＣタグ５に代えて、他の読み書き可能な記録媒体を用いることもできるが、操作性を考えれば、上記ＩＣタグ５のような非接触型の記録媒体であることが好ましい。
【００５０】
【発明の効果】
請求項１記載の発明によれば、係員用記録媒体で読み書きされる暗号キーと、データ処理装置の復号キーとの組合せにより、客用記録媒体に記録される計数値等の暗号化と復号化を行うことで、従来のデータ・スクランブルによるものよりも暗号化のパターンを複雑化することが可能となる。また、係員用記録媒体を介して必要なデータのやりとりを行うことで、計数値記録装置とデータ処理装置との間で遠隔通信を行う必要もなくなる。従って、不正防止効果が高く遠隔通信設備の不要な遊技媒体計数処理システムを提供することができる。
【００５１】
請求項２記載の発明によれば、複数の係員ごとに係員用記録媒体で読み書きされる暗号キーと、データ処理装置の復号キーとの組合せにより、客用記録媒体に記録される計数値等の暗号化と復号化を行うことで、従来のデータ・スクランブルによるものよりも暗号化のパターンを複雑化することが可能となる。また、係員用記録媒体を介して必要なデータのやりとりを行うことで、計数値記録装置とデータ処理装置との間で遠隔通信を行う必要もなくなる。従って、不正防止効果が高く遠隔通信設備の不要な遊技媒体計数処理システムを提供することができる。さらに、暗号キーおよび復号キーと係員コードとを関連づけることで、係員ごとのデータ管理等を行うことも可能となる。
【図面の簡単な説明】
【図１】本発明による遊技媒体計数処理システムの一実施形態を構成する景品管理機およびデータ管理装置を示すブロック図。
【図２】本発明による遊技媒体計数処理システムの一実施形態を構成するレシート発行機および計数機を示すブロック図。
【図３】図１に示す景品管理機によるデータ処理と、図２に示すレシート発行機および計数機による計数・記録処理の手順を示すフローチャート。
【図４】図１に示すデータ管理装置による履歴管理処理の手順を示すフローチャート。
【符号の説明】
１　景品管理機（データ処理装置）
１０　制御部
１２　ＩＣタグ用リーダ／ライタ
１３　バーコードリーダ
１４　通信部
１６　内部記憶部
Ｔ１　暗号／復号キー・テーブル
Ｔ２　処理履歴テーブル
２　レシート発行機（計数値記録装置）
２０　制御部
２２　ＩＣタグ用リーダ／ライタ
２３　プリンタ
２４　通信部
２６　発行ボタン
３　計数機（遊技媒体計数装置）
３ａ　投入口
３ｂ　シャッタ（閉鎖部材）
３０　制御部
３２　計数センサ
３４　通信部
３６　シャッタ駆動部
４　データ管理装置
４０　制御部
４２　ＩＣタグ用リーダ
４３　プリンタ
４４　通信部
４６　内部記憶部
Ｔ３　係員操作履歴テーブル
５　ＩＣタグ（係員用記録媒体）
６　レシート（遊技客用記録媒体）
【図１】
2004073443.tif 000003
【図２】
2004073443.tif 000004
【図３】
2004073443.tif 000005
【図４】
2004073443.tif 000006